(57)【特許請求の範囲】
【請求項１】
モバイル・ノードへの通信伝送の中断および再開のための方法であって、
ローカル・モビリティ・アンカーにおいて第１の外部ネットワーク上の第１の外部アクセス・ゲートウェイから第１のメッセージを受信するステップであって、前記第１のメッセージが中断設定を有し、前記第１の外部アクセス・ゲートウェイが、３ＧＰＰ送信プロトコルに基づいて前記ローカル・モビリティ・アンカーから前記モバイル・ノードへのダウンリンク伝送を制御し、前記第１のメッセージが、前記モバイル・ノードへのダウンリンク通信伝送をサポートしない第２の外部ネットワークへの前記モバイル・ノードの移動に応答して作成される、ステップと、
前記モバイル・ノードへのダウンリンク伝送を制御する前記第１の外部アクセス・ゲートウェイから前記第１のメッセージを受信したことに応答して、前記ローカル・モビリティ・アンカーにおいて前記ローカル・モビリティ・アンカーから前記モバイル・ノードへのさらなるダウンリンク伝送を中断するステップと、
前記ローカル・モビリティ・アンカーにおいて前記第１の外部ネットワーク上の前記第１の外部アクセス・ゲートウェイから第２のメッセージを受信するステップであって、前記第２のメッセージが再開設定を有し、前記第１の外部アクセス・ゲートウェイが、前記ローカル・モビリティ・アンカーから前記モバイル・ノードへのダウンリンク伝送を制御する、ステップと、
前記モバイル・ノードへのダウンリンク伝送を制御する前記第１の外部アクセス・ゲートウェイから前記第２のメッセージを受信したことに応答して、前記ローカル・モビリティ・アンカーにおいて前記ローカル・モビリティ・アンカーから前記モバイル・ノードへのダウンリンク伝送を再開するステップとを含む方法。
【請求項２】
前記ローカル・モビリティ・アンカーが、前記モバイル・ノードがその外部ネットワーク接続を前記第２の外部ネットワークに変更したというモビリティ・マネージャからの通知に応答して前記第１の外部アクセス・ゲートウェイによって作成された第１のメッセージを受信する、請求項１に記載の方法。
【請求項３】
前記モビリティ・マネージャがモビリティ管理エンティティである、請求項２に記載の方法。
【請求項４】
前記ローカル・モビリティ・アンカーと前記第１の外部アクセス・ゲートウェイの間のインタフェース接続が、ＴＳ２３．４０２標準のＳ５接続によって定義される、請求項１に記載の方法。
【請求項５】
前記ローカル・モビリティ・アンカーと前記第１の外部アクセス・ゲートウェイの間のインタフェース接続が、ＴＳ２３．４０２標準のＳ８接続によって定義される、請求項１に記載の方法。
【請求項６】
前記ローカル・モビリティ・アンカーと前記第２の外部ネットワークの間のインタフェース接続が、ＴＳ２３．４０２標準のＳ２ａ接続またはＳ２ｂ接続によって定義される、請求項１に記載の方法。
【請求項７】
モバイル・ノードへの通信伝送を制御するための方法であって、
ローカル・モビリティ・アンカーにおいて第１の外部ネットワーク上の第１の外部アクセス・ゲートウェイから第１のメッセージを受信するステップであって、前記第１のメッセージが中断設定を有し、前記第１の外部アクセス・ゲートウェイが、前記ローカル・モビリティ・アンカーから前記モバイル・ノードへのダウンリンク伝送を制御し、前記第１のメッセージが、前記モバイル・ノードへのダウンリンク通信伝送をサポートしない第２の外部ネットワークへの前記モバイル・ノードの移動に応答して作成される、ステップと、
前記モバイル・ノードへのダウンリンク伝送を制御する前記第１の外部アクセス・ゲートウェイから前記第１のメッセージを受信したことに応答して、前記ローカル・モビリティ・アンカーにおいて前記ローカル・モビリティ・アンカーから前記モバイル・ノードへのさらなるダウンリンク伝送を中断するステップと、
前記ローカル・モビリティ・アンカーにおいて第１の外部ネットワーク上の前記第１の外部アクセス・ゲートウェイから第２のメッセージを受信するステップであって、前記第２のメッセージが再開設定を有する、ステップと、
前記モバイル・ノードへのダウンリンク伝送を制御する前記第１の外部アクセス・ゲートウェイから前記第２のメッセージを受信したことに応答して、前記ローカル・モビリティ・アンカーにおいて前記ローカル・モビリティ・アンカーから前記モバイル・ノードへのダウンリンク伝送を再開するステップとを含む方法。
【請求項８】
前記ローカル・モビリティ・アンカーが、前記モバイル・ノードがその外部ネットワーク接続を前記第２の外部ネットワークに変更したというモビリティ・マネージャからの通知に応答して前記第１の外部アクセス・ゲートウェイによって作成された前記第１のメッセージを受信する、請求項７に記載の方法。
【請求項９】
前記モビリティ・マネージャがモビリティ管理エンティティである、請求項８に記載の方法。
【請求項１０】
前記第１の外部アクセス・ゲートウェイが、３ＧＰＰプロトコルに基づいて前記ローカル・モビリティ・アンカーから前記モバイル・ノードへのダウンリンク伝送を制御する、請求項７に記載の方法。
【請求項１１】
前記ローカル・モビリティ・アンカーと前記第１の外部アクセス・ゲートウェイの間のインタフェース接続が、ＴＳ２３．４０２標準のＳ５接続によって定義される、請求項７に記載の方法。
【請求項１２】
前記ローカル・モビリティ・アンカーと前記第１の外部アクセス・ゲートウェイの間のインタフェース接続が、ＴＳ２３．４０２標準のＳ８接続によって定義される、請求項７に記載の方法。
【請求項１３】
前記ローカル・モビリティ・アンカーと前記第２の外部ネットワークの間のインタフェース接続が、ＴＳ２３．４０２標準のＳ２ａ接続またはＳ２ｂ接続によって定義される、請求項７に記載の方法。
【請求項１４】
第１の外部ネットワークに結合されたローカル・モビリティ・アンカーを有するホーム・ネットワークであって、前記第１の外部ネットワークが、モバイル・ノードに接続された第１の外部アクセス・ゲートウェイを有し、前記第１の外部アクセス・ゲートウェイが、前記ローカル・モビリティ・アンカーから前記第１の外部ネットワークに結合された前記モバイル・ノードへのダウンリンク伝送をサポートし、
前記ローカル・モビリティ・アンカーが、前記第１の外部ネットワーク上の前記第１の外部アクセス・ゲートウェイから中断設定を有する第１のメッセージを受信したことに応答して、前記第１の外部アクセス・ゲートウェイを介した前記モバイル・ノードへのダウンリンク伝送を中断し、前記第１のメッセージが、前記モバイル・ノードへのダウンリンク通信伝送をサポートしない第２の外部ネットワークへの前記モバイル・ノードの移動に応答して前記第１の外部アクセス・ゲートウェイによって作成され、
前記ローカル・モビリティ・アンカーが、前記第１の外部ネットワーク上の前記第１の外部アクセス・ゲートウェイから再開設定を有する第２のメッセージを受信した後で、前記ローカル・モビリティ・アンカーから前記モバイル・ノードへのダウンリンク伝送を再開する、ホーム・ネットワークを備える通信ネットワーク。
【請求項１５】
前記第１のメッセージが、前記モバイル・ノードがその外部ネットワーク接続を前記第２の外部ネットワークに変更したというモビリティ・マネージャからの通知に応答して前記第１の外部アクセス・ゲートウェイによって作成される、請求項１４に記載の通信ネットワーク。
【請求項１６】
前記モビリティ・マネージャがモビリティ管理エンティティである、請求項１５に記載の通信ネットワーク。
【請求項１７】
前記第１の外部アクセス・ゲートウェイが、３ＧＰＰプロトコルに基づいて前記ローカル・モビリティ・アンカーから前記モバイル・ノードへのダウンリンク伝送を制御する、請求項１４に記載の通信ネットワーク。
【請求項１８】
前記ローカル・モビリティ・アンカーと前記第１の外部アクセス・ゲートウェイの間のインタフェース接続が、ＴＳ２３．４０２標準のＳ５接続によって定義される、請求項１４に記載の通信ネットワーク。
【請求項１９】
前記ローカル・モビリティ・アンカーと前記第１の外部アクセス・ゲートウェイの間のインタフェース接続が、ＴＳ２３．４０２標準のＳ８接続によって定義される、請求項１４に記載の通信ネットワーク。
【請求項２０】
前記ローカル・モビリティ・アンカーと前記第２の外部ネットワークの間のインタフェース接続が、ＴＳ２３．４０２標準のＳ２ａ接続またはＳ２ｂ接続によって定義される、請求項１４に記載の通信ネットワーク。
【発明の詳細な説明】
【技術分野】
【０００１】
関連出願データ
本出願は、２００９年５月１３日に出願された仮特許出願第６１／１７７，７９４号に関連するものであり、米国特許法第１１９条ｅ項に基づき、先のこの出願に対する優先権を主張する。また、この仮特許出願は、参照により本実用特許出願（ｕｔｉｌｉｔｙ  ｐａｔｅｎｔ  ａｐｐｌｉｃａｔｉｏｎ）に組み込まれる。
【０００２】
新たなフラグ、オプション、またはメッセージ伝送を使用して無線通信セッションを中断および再開する方法およびシステム。
【背景技術】
【０００３】
ＩＰベースのモバイル・システムは、少なくとも１つのモバイル・ノード［ｍｏｂｉｌｅ  ｎｏｄｅ］と無線通信ネットワーク［ｗｉｒｅｌｅｓｓ  ｃｏｍｍｕｎｉｃａｔｉｏｎ  ｎｅｔｗｏｒｋ］の間の通信を提供する。「モバイル・ノード」という用語は、モバイル通信ユニット（たとえば、モバイル端末、「スマート・フォン」［ｓｍａｒｔ  ｐｈｏｎｅ］、以下でさらに詳細に説明するような無線接続性を有するラップトップＰＣなどのノマディック（ｎｏｍａｄｉｃ）・デバイス）を含む。いくつかある要素の中でも特に、無線通信システムは、ホーム・ネットワークと外部ネットワークとを含む。モバイル・ノードは、これらのネットワークを介してインターネットへのその接続点を変更することができるが、モバイル・ノードは常に、ＩＰアドレス指定の目的で、単一のホーム・ネットワークに関連付けられる。ホーム・ネットワークはホーム・エージェントを含み、外部ネットワークは外部エージェントを含む。そのどちらも、そのネットワークの内外への情報パケットのルーティングを制御する。
【０００４】
モバイル・ノード、ホーム・エージェント、および外部エージェントは、任意の特定のネットワーク構成または通信システムで使用される用語に応じて、さまざまな名前で呼ばれることがある。たとえば、「モバイル・ノード」は、ケーブル（たとえば、電話線（「ツイスト・ペア」）、イーサネット・ケーブル、光ケーブルなど）による無線ネットワークへの接続性、ならびにセルラ・ネットワークへの直接的な無線接続性を有するＰＣを包含する。セルラ・ネットワークへの直接的な無線接続性は、インターネット・アクセス、電子メール、メッセージング・サービスなどのさまざまな特徴および機能を有するさまざまなブランド（ｍａｋｅ）およびモデルのモバイル端末（「携帯電話」）で体験できる。モバイル・ノードは、特定のシステム・プロバイダで採用される用語に応じて、ユーザ機器、モバイル・ユニット、モバイル端末、モバイル・デバイス、または類似の名前で呼ばれることがある。一般に、通信相手ノード［ｃｏｒｒｅｓｐｏｎｄｅｎｃｅ  ｎｏｄｅ］もあるが、これは移動式でも固定式でもよく、モバイル・ノードと通信するためにネットワーク上にあってよい。
【０００５】
また、ホーム・エージェントは、ローカル・モビリティ・アンカー、ホーム・モビリティ・マネージャ、ホーム・ロケーション・レジスタと呼ばれることがあり、外部エージェントは、モバイル・アクセス・ゲートウェイ、サービス提供モビリティ・マネージャ（Ｓｅｒｖｉｎｇ  Ｍｏｂｉｌｉｔｙ  Ｍａｎａｇｅｒ）、訪問先位置レジスタ（Ｖｉｓｉｔｅｄ  Ｌｏｃａｔｉｏｎ  Ｒｅｇｉｓｔｅｒ）、および訪問元サービス提供エンティティ（Ｖｉｓｉｔｉｎｇ  Ｓｅｒｖｉｎｇ  Ｅｎｔｉｔｙ）と呼ばれることがある。モバイル・ノード、ホーム・エージェント、および外部エージェントという用語は、限定的に定義されることを意図しておらず、ホーム・ネットワークまたは外部ネットワーク上にある他のモバイル通信ユニットまたは監視ルーティング・デバイスを含むことができる。外部ネットワークは、サービス提供ネットワークと呼ばれることもある。
【０００６】
モバイル・ノードの登録［Ｒｅｇｉｓｔｅｒｉｎｇ  Ｔｈｅ  Ｍｏｂｉｌｅ  Ｎｏｄｅ］
外部エージェントおよびホーム・エージェントは、そのエージェントに関連付けられているローカル・ネットワーク上のすべてのノードにエージェント広告［ａｇｅｎｔ  ａｄｖｅｒｔｉｓｅｍｅｎｔ］を定期的にブロードキャストする。エージェント広告とは、モバイルＩＰプロトコル（ＲＦＣ２００２）または他の任意のタイプの通信プロトコルに基づいて発行され得るネットワーク上のエージェントからのメッセージである。この広告は、モバイル・ノードに対するモビリティ・エージェント（たとえば、ホーム・エージェント、外部エージェントなど）を一意に識別するために必要な情報を含まなければならない。モバイル・ノードは、エージェント広告を調べ、それらがホーム・ネットワークに接続されているのか、それとも外部ネットワークに接続されているのかを判定する。
【０００７】
モバイル・ノードは、ＩＰアドレス指定の目的でモバイル・ノードのホーム・ネットワークおよびサブネットワークに常に関連付けられ、ホーム・ネットワークおよび外部ネットワーク上にあるルータによって情報をルーティングさせて受けることになる。モバイル・ノードがそのホーム・ネットワーク上にある場合、情報パケットは、標準的なアドレス指定およびルーティング方式に従ってモバイル・ノードにルーティングされる。しかし、モバイル・ノードが外部ネットワークにアクセスしている場合、モバイル・ノードは、エージェント広告から適切な情報を取得し、外部エージェントを介してモバイル・ノードのホーム・エージェントに登録要求メッセージ（バインディング更新要求（ｂｉｎｄｉｎｇ  ｕｐｄａｔｅ  ｒｅｑｕｅｓｔ）と呼ばれることもある）を送信する。この登録要求メッセージは、モバイル・ノードの気付アドレスを含む。登録応答メッセージ（バインディング更新応答確認メッセージ（ｂｉｎｄｉｎｇ  ｕｐｄａｔｅ  ａｃｋｎｏｗｌｅｄｇｅ  ｍｅｓｓａｇｅ）とも呼ばれる）がホーム・エージェントによってモバイル・ノードに送信され、登録プロセスが正常に終了したことを確認することができる。
【０００８】
モバイル・ノードは、「気付アドレス」をホーム・エージェントに登録することにより、ホーム・エージェントに外部ネットワーク上のモバイル・ノードの位置を常に通知する。登録された気付アドレスは、モバイル・ノードがある外部ネットワークを識別し、ホーム・エージェントは、後でモバイル・ノードに転送するために、この登録された気付アドレスを使用して外部ネットワークに情報パケットを転送する。モバイル・ノードが外部ネットワーク上にある間にホーム・エージェントがモバイル・ノード宛ての情報パケットを受信した場合、ホーム・エージェントは、該当する気付アドレスを使用して外部ネットワーク上のモバイル・ノードの現在の位置に情報パケットを伝送する。すなわち、気付アドレスを含むこの情報パケットは、次に、気付アドレスに従って転送され、外部ネットワーク上のルータによって外部ネットワーク上のモバイル・ノードにルーティングされる。
【０００９】
単一または複数の外部ネットワーク上で複数のインタフェースをサポートすることができるが、このネットワークは、回線交換タイプの電話通信アクセス・タイプ以外にさまざまな通信アクセス・タイプ８０２．１１ｄ、８０２．１１ｇ、ＨＲＰＤ、ＷｉＦｉ、ＷｉＭａｘ、ＣＤＭＡ、またはＬＴＥを含むことができる。モバイル・ノードが単一または複数のネットワーク上のさまざまなアクセス・タイプに結合されるとき、またはあるアクセス・タイプから別のアクセス・タイプへのハンドオーバ手順が実施されるときに、問題が生じることがある。モバイル・ノードがある外部ネットワークから別の外部ネットワークに移動するとき、ホーム・エージェントまたはローカル・モビリティ・アンカーへの気付アドレスの登録に関する問題が生じることもある。たとえば、ホーム・エージェントまたはローカル・モビリティ・アンカーがパケットの破棄または破棄されたパケットについての請求を行うことができるとき、通信のハンドオフ手順に関する問題が起こることがあり、それにより、伝送が混乱し、請求の不一致が発生する（たとえば、受信していないパケットについて利用者（ｓｕｂｓｃｒｉｂｅｒ）に請求する）可能性がある。
【発明の概要】
【００１０】
本発明の主な目的は、モビリティ・アクセス・ゲートウェイ（または外部エージェント）が、ネットワーク上のリソースの使用状況を最適化でき、モバイル・ノードによって受信されていない破棄されたパケットについて利用者に請求するのではなく、受信した送信パケットについて利用者に正確に請求できるように、ローカル・モビリティ・エージェントからの十分な情報を提供することである。
【００１１】
本発明は、ダウンリンク通信伝送を中断および再開するための新しい方法およびシステムによる正確なハンドオーバ手順および送信パケットの請求を提供する。本発明は、モバイル・ノードが新しい外部ネットワークまたは同じ外部ネットワーク上の第２のアクセス・タイプに移行する（外部ネットワークでは複数のアクセス・タイプがサポートされる）が、新しい外部ネットワークがモバイル・ノードへのダウンリンク伝送をサポートしない状況に対処する。
【００１２】
本発明は、モバイル・ノードへのダウンリンク伝送をサポートしていた外部エージェントからローカル・モビリティ・アンカーに送信される中断／再開フラグ設定を有する一時的バインディング・オプション・メッセージを使用する。すなわち、一時的バインディング・オプションは、ＭＡＧ（モバイル・アクセス・ゲートウェイ）内でのハンドオーバ中にホーム・エージェント／ローカル・モビリティ・アンカーにおいて一時的バインディング・キャッシュ・エントリ（ＢＣＥ）状態を作り出すために提案され、それによって、一時的ＢＣＥ（中断）状態が、ダウンリンク伝送を以前にサポートしていた外部エージェントによってクリアされるまで、ホーム・エージェント／ローカル・モビリティ・アンカーからのダウンリンク・トラフィックが中断される。一時的ＢＣＥ（中断）状態がクリアされた後で、ホーム・エージェント／ローカル・モビリティ・アンカーからのダウンリンク・トラフィックが再開され、ダウンリンク・トラフィックは外部エージェントを介してモバイル・ノードに転送されることができる。本発明は、新しいプロトコル・アプリケーション、または前の登録アプリケーションからの修正されたメッセージを使用して実施することができる。
【００１３】
本発明の目的および特徴は、以下の詳細な説明および添付の特許請求の範囲を添付の図面と併せ読めば、さらに容易に理解されるであろう。添付の図面において、同じ番号は同じ要素を指す。
【図面の簡単な説明】
【００１４】
【図１】３ＧＰＰネットワークおよび３ＧＰＰでないネットワークを示す、本発明で使用されるモバイルＩＰベースの通信システムの図である。
【図２】一時的バインディング更新メッセージおよび拡張バインディング取り消し（ｒｅｖｏｃａｔｉｏｎ）トリガ・メッセージを使用する呼の流れ図である。
【発明を実施するための形態】
【００１５】
本発明の目的および特徴は、以下の詳細な説明および添付の特許請求の範囲を添付の図面と併せ読めば、さらに容易に理解されるであろう。添付の図面において、同じ番号は同じ要素を指す。
【００１６】
図１に、モバイル・モード１２５、ホーム・ネットワーク１１０、ならびに外部ネットワーク１３０および１５０をそれぞれ有する、ＩＰベースのモバイル・システムのアーキテクチャ全体が示されている。図１に示すように、ホーム・ネットワーク１１０は、ホーム・エージェントまたはローカル・モビリティ・アンカー１１３を有する。ローカル・モビリティ・アンカー１１３は、通信リンク１１２によって外部ネットワーク１３０上のモビリティ・アクセス・ゲートウェイ（ＳＧＷ）１５５に結合され、通信リンク１１５によって外部ネットワーク１３０上のモビリティ・アクセス・ゲートウェイ１３５に結合される。
【００１７】
モビリティ・アクセス・ゲートウェイ（ＳＧＷ）１５５は、通信リンク１６６によってＭＭＥ１６５に結合され、通信リンク１６９によってサービス提供ＧＰＲＳサポート・ノード（ＳＧＳＮ：Ｓｅｒｖｉｎｇ  ＧＰＲＳ  Ｓｕｐｐｏｒｔ  Ｎｏｄｅ）１６８に結合され、通信リンク１７１によってＥＵＴＲＡＮサーバ１７０に結合される。また、モビリティ管理エントリＭＭＥ１６５は、通信リンク１７４によってサービス提供ＧＰＲＳサポート・ノード（ＳＧＳＮ）１６８に結合され、通信リンク１７５によってＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  ＥＵＴＲＡＮサーバ１７０に結合される。ホーム・ネットワーク１１０は、リンク２０１によってインターネット２００に結合され、インターネット２００は、通信リンク２０６によって外部ネットワークＦＮ２０５に結合され、外部ネットワークＦＮ２０５は、リンク２０７によってコレスポンデント・ノード（ＣＮ）２１０に結合される。
【００１８】
モビリティ・アクセス・ゲートウェイ１５５は、無線通信リンク１２７を通して、アンテナ／送信機１３７に結合された基地局トランシーバ１３９からなる無線アクセス・システムを介してモバイル・ノード１２５に結合される。モビリティ・アクセス・ゲートウェイ１３５は、無線通信リンク１５７を通して、アンテナ／送信機１４０に結合された基地局トランシーバ１４１からなる無線アクセス・システムを介してモバイル・ノード１２５に結合される。モビリティ・アクセス・ゲートウェイ１３５は、インタフェース１４１および通信リンク１５７によってまたは通信リンク１５２および１５４を介してＣＳインタフェース１５３によってサポートされる、３ＧＰＰでないアクセス・タイプまたは回線交換（ＣＳ）アクセスなどの第２の通信アクセス・タイプを使用してモバイル・ノード１２５に結合される。
【００１９】
モバイル・ノード１２５は、それぞれ無線通信リンク１５９および１５８を介して外部ネットワーク１３０および１５０に電子的に結合されて示されている。しかし、モバイル・ノード１２５は、外部ネットワークに結合された任意のトランシーバまたはアクセス・ネットワークと通信することができる。すなわち、通信リンク１５９および１５８は、無線で送信されるリンクであるが、これらのリンクは、ネットワーク上の２つ以上のノード間またはネットワークまたは管理ドメイン上のユーザ間のいかなる接続から構成されてもよい。
【００２０】
ローカル・モビリティ・アンカー、ホーム・エージェント、および外部エージェントという用語は、３ＧＰＰ  ＴＳ２３．４０２によって定義される３−ＧＰＰプロトコルで定義されているようなものであってよいが、これらのエージェントは、単一のプロトコルまたはシステムに限定されない。実際、本出願で使用されるホーム・エージェントという用語は、ホーム・モビリティ・マネージャ、ホーム・ロケーション・レジスタ、ホーム・サービス提供エンティティ、またはモバイル・ノード１２５のモビリティ関連機能を管理する責任を有するホーム・ネットワーク１１０の他の任意のエージェントを指すことができる。同様に、本出願で使用されるモビリティ・アクセス・ゲートウェイという用語は、外部エージェント、サービス提供モビリティ・マネージャ、訪問先位置レジスタ、訪問元サービス提供エンティティ、またはモバイル・ノード１２５のモビリティ関連機能を管理する責任を有する外部ネットワーク上の他の任意のエージェントを指すことができる。ホーム・エージェントＬＭＡ１１３と外部エージェント（ＭＡＧ  ＳＧＷ）１５５の間のインタフェース接続は、ＴＳ２３．４０２標準のＳ５接続またはＳ８接続によって定義されてよく、ホーム・エージェントＬＭＡ１１３と外部エージェント（ＭＡＧ  ＳＧＷ）１３５の間の接続は、ＴＳ２３．４０２標準に記載されるＳ２ａ接続およびＳ２ｂ接続によって定義されてよい。
【００２１】
図１に示されるモバイルＩＰ通信システムでは、モバイル・ノード１２５は、永続的なＩＰアドレスによって識別される。モバイル・ノード１２５がそのホーム・ネットワーク１１０に結合されている間は、モバイル・ノード１２５は、ホーム・ネットワーク１１０上の他の任意の固定ノードと同様に情報パケットを受信する。モバイル・ノード１２５は、移動中の場合、ネットワーク１３０または１５０などの外部ネットワーク上にあることもできる。モバイル・ノード１２５が外部ネットワーク１３０または１５０上にある場合、ホーム・ネットワーク１１０は、外部ネットワーク１３０または１５０にデータ通信を「トンネリング」することによって、その通信をモバイル・ノード１２５に送信する。
【００２２】
モバイル・ノード１２５は、気付アドレスをローカル・モビリティ・アンカー１１３に登録することにより、ローカル・モビリティ・アンカー１１３にモバイル・ノード１２５の現在の位置または外部ネットワークとの関連付けを常に通知する。気付アドレスは、本質的には、モバイル・ノード１２５が現在ある外部ネットワークを表す。モバイル・ノード１２５が外部ネットワーク１３０上にある間にローカル・モビリティ・アンカー１１３がモバイル・ノード１２５宛ての情報パケットを受信する場合、ローカル・モビリティ・アンカー１１３は、後でモバイル・ノード１２５に伝送するために、外部ネットワーク１３０に情報パケットを「トンネリング」する。
【００２３】
外部エージェント１５５は、ローカル・モビリティ・アンカー１１３にモバイル・ノード１２５の現在の気付アドレスを通知することに関与する。外部エージェント１５５も、情報パケットがローカル・モビリティ・アンカー１１３によって外部エージェント１５５に転送された後に、モバイル・ノード１２５に対する情報パケットを受信する。さらに、外部エージェント１５５は、外部ネットワーク１３０に接続されている間にモバイル・ノード１２５によって生成される送出情報パケットのデフォルト・ルータの役目を果たす。ホーム・ネットワーク１１０からモバイル・ノード１２５への通信パケットの転送はダウンリンク・トラフィックと呼ばれ、モバイル・ノード１２５から送出する通信パケットの転送はアップリンク・トラフィックと呼ばれる。
【００２４】
モバイル・ノード１２５は、ローカル・モビリティ・アンカー１１３にモバイル・ノード１２５の現在の位置を通知することに関与し、関連付けられた外部ネットワークへの接続を要求する。モバイル・ノード１２５が外部ネットワーク上の異なるアクセス・タイプまたはまったく異なる外部ネットワークへの接続に移行するとき（ハンドオーバ）、モバイル・ノード１２５は、エージェント広告から外部ネットワークおよび／または外部エージェントのアドレスに関する適切な情報を取得する。
【００２５】
モバイル・ノード１２５が外部ネットワーク１５０に移行するとき、ＭＭＥ１６５は、外部エージェント（ＭＡＧ  ＳＧＷ）１５５に、モバイル・ノードはもう外部ネットワーク１３０に結合されていないことを通知する。この状況において、モバイル・ノード１２５がもう外部ネットワーク１３０に結合されていないので、外部エージェント（ＭＡＧ  ＳＧＷ）からのすべてのダウンリンク・トラフィックは破棄される。しかし、ホーム・ネットワークには外部ネットワーク１５０へのモバイル・ノードの移行が通知されていないので、ホーム・ネットワーク１１０上のホーム・エージェント（ＬＭＡ）１１３は、外部エージェント（ＭＡＧ  ＳＧＷ）１１５にダウンリンク・トラフィックを伝送し続けることがある。したがって、ダウンリンク・トラフィックがホーム・ネットワーク１１０から流れ続け、利用者は、ダウンリンク・トラフィックが破棄され、モバイル・ノード１２５に送達されなくても、そのダウンリンク・トラフィックについて請求される。さらに、この状況では、ホーム・ネットワーク１１０は外部ネットワーク１５０に送信されたすべてのダウンリンク・トラフィックについて請求するが、外部エージェントＬＭＡ１５５は、モバイル・ノード１２５へのそのダウンリンク・トラフィックは破棄されて送達されないために、そのトラフィックに対して請求しないので、ホーム・ネットワーク１１０の請求カウントは、外部ネットワーク１５０の請求カウントと一致せず、そのために一致させる必要がある請求が不整合になる。
【００２６】
本発明は、この問題の状況を、図２に示される一時的バインディング・オプション・メッセージ３０１を使用することによって解消する。一時的バインディング・オプション・メッセージ３０１は、モバイル・ノード１２５が外部ネットワーク１５０に移動したことを示す通知メッセージ３００をＭＭＥ１６５から受信した後に、外部エージェント（ＭＡＧ  ＳＧＷ）１５５によって作成される。この状況では、外部ネットワーク１５０上では特定のアクセス・タイプがサポートされないので、外部ネットワークがモバイル・ノード１２５へのダウンリンク・トラフィック伝送をサポートしないことがある。ホーム・ネットワーク１１０が外部ネットワーク１３０を介してモバイル・ノード１２５にダウンリンク・トラフィックを伝送し続ける場合、通信は破棄され、ホーム・エージェントＬＭＡ１１３の請求カウントと外部エージェント（ＭＡＧ  ＳＧＷ）１５５の請求カウントの間に請求の不整合が生じる。
【００２７】
一時的バインディング・オプション・メッセージ３０１は、中断／再開フラグが「中断」設定に設定された状態で、外部エージェント（ＭＡＧ  ＳＧＷ）１５５からホーム・エージェントＬＭＡ１１３に送信される。この場合、中断／再開フラグの「中断」設定は「１」と評価されることができる。ホーム・エージェントＬＭＡ１１３が一時的バインディング・オプション・メッセージ３０１の中断／再開フラグを受信すると、ホーム・エージェントは、モバイル・ノード１２５で指定されたセッションのダウンリンク・トラフィックの伝送を中断する。ダウンリンク・トラフィックのこの中断は、外部エージェント（ＭＡＧ  ＳＧＷ）１５５が、中断／再開フラグが「再開」設定に設定された状態で第２の一時的バインディング・オプション・メッセージ３０５をホーム・エージェントＬＭＡ１１３に伝送するまで継続する。この場合、モバイル・ノード１２５が外部ネットワーク１３０に再接続されることができ、したがって、外部ネットワーク１３０上の外部エージェント（ＭＡＧ  ＳＧＷ）１５５を介して、またはモバイル・ノード１２５が、ダウンリンク通信伝送を可能にするアクセス・タイプをサポートする外部ネットワーク１５０に結合されるときに、ダウンリンク・トラフィックがモバイル・ノード１２５に伝送され続けることができる。本発明は、請求の不整合を解消し、モバイル・ノード１２５への伝送の破棄される量を減少させる。
【００２８】
一時的バインディング・オプション・メッセージは、ＭＡＧ内でのハンドオーバ中にホーム・エージェントＬＭＡ１１３でＢＣＥ状態を発生させることができる。一時的バインディング・オプション・メッセージ３０１は、利用可能なベンダ固有の拡張機能およびネットワークによって使用されるアクセス・タイプに応じて、プロキシ・バインディング更新メッセージまたは他のメッセージのフラグ設定を使用することができる。一時的バインディング・オプション・メッセージ３０１は、モバイル・ノード１２５へのダウンリンク・トラフィックをサービスとして提供する同じ外部エージェント（ＭＡＧ  ＳＧＷ）１５５から送信されなければならない。ホーム・エージェントＬＭＡ１１３が、ダウンリンク・トラフィックをサービスとして提供する同じ外部エージェント（ＭＡＧ  ＳＧＷ）１５５から一時的バインディング・オプション・メッセージ３０１を受信すると、ホーム・エージェントＬＭＡ１１３は、ダウンリンク・トラフィックが外部ネットワーク１５０へのハンドオーバに従っていないと判断し、ホーム・エージェントＬＭＡ１１３は「中断」状態を維持する。一時的バインディング・オプション・メッセージ３０５の「再開」フラグがＬＭＡ１１３に伝送されると、ダウンリンク・トラフィックは伝送を再開する。
【００２９】
本発明の好ましい実施形態について図示し説明してきたが、その変更は、本発明の趣旨および教示から逸脱することなく、当業者により行うことができる。本明細書において説明した実施形態は単なる例示に過ぎず、限定することを意図するものではない。本明細書で開示される本発明の多くの変形および変更が可能であり、本発明の範囲に含まれる。
【図１】
0005508522.tif 000002
【図２】
0005508522.tif 000003